(57)【要約】【課題】点灯回路で発生する熱を能率良く外気に放出でき、しかも外形寸法が従来品と殆ど変わらない電球型ランプを提供する。【解決手段】口金２と、口金２に取り付けられたケース３と、ケース３に取り付けられたグローブ４と、を有し、ケース３の内部に点灯回路５を、グローブ４の内部に蛍光管６をそれぞれ内蔵する電球型ランプ１において、ケース３の外表面に凹凸形状を形成する。また、ケース３の外表面に多数の円柱状突起７を付加して凹凸形状を形成する。あるいは、ケース３の外表面に放熱フィンを付加する。【選択図】図２
2010198764.tif 000002
【特許請求の範囲】
【請求項１】
電球用口金と、
前記電球用口金に取り付けられたケースと、
前記ケースに取り付けられたグローブと、を有し、
前記ケースの内部に点灯回路を、前記グローブの内部に光源をそれぞれ内蔵する電球型ランプにおいて、
前記ケースの外表面に凹凸形状が形成されている
ことを特徴とする電球型ランプ。
【請求項２】
前記ケースの外表面に複数の突起が形成されている
ことを特徴とする請求項１に記載の電球型ランプ。
【請求項３】
前記突起は円形断面を有する円柱状突起である
ことを特徴とする請求項２に記載の電球型ランプ。
【請求項４】
前記突起は多角形断面を有する各柱状突起である
ことを特徴とする請求項２に記載の電球型ランプ。
【請求項５】
前記ケースの外表面に複数の放熱フィンが形成されている
ことを特徴とする請求項１に記載の電球型ランプ。
【発明の詳細な説明】
【技術分野】
【０００１】
本発明は、口金とケースとグローブを有すると共に、前記ケースの内部に点灯回路を、前記グローブの内部に光源をそれぞれ内蔵する電球型ランプに関する。
【背景技術】
【０００２】
白熱電球は口金とグローブを有し、グローブ内に備えたフィラメントに通電して、該フィラメントを白熱させて光を得るよく知られた電灯である。蛍光ランプは放電で発生する紫外線を可視光線に変換して光を得る電灯であり、白熱電球に比べると歴史が浅い（比較的新しい）が、やはりよく知られている。また、蛍光ランプは白熱電球に比べて、発光効率が高い、つまり消費電力の割に大きな照度が得られるので、事業所や家庭の照明用に多用されている。
【０００３】
電球型蛍光ランプは口金とケースとグローブを有して、前記ケースの内部に点灯回路を、前記グローブの内部に蛍光ランプをそれぞれ内蔵して、外形及び寸法を同等の照度を有する白熱電球とほぼ同形、同寸にまとめた電灯であり（例えば、特許文献１）、白熱電球を使用する照明器具に取り付けて使用できる。電球型蛍光ランプは白熱電球に比べて消費電力が小さいので、白熱電球に代えて電球型蛍光ランプを使用することによって、いわゆる省エネ効果が得られる。
【０００４】
また、発光ダイオード（ＬＥＤ）の電力消費が蛍光ランプよりも、さらに小さいことに注目した、電球形ＬＥＤランプも提案されている（特許文献２）。電球形ＬＥＤランプも口金とケースとグローブを有して、前記ケースの内部に点灯回路を、前記グローブの内部にＬＥＤをそれぞれ内蔵して構成された電灯であり、白熱電球に代えて照明器具に取り付けて使用することができる。
【０００５】
さて、本明細書では、口金とケースとグローブを有すると共に、前記ケースの内部に点灯回路を、前記グローブの内部に光源をそれぞれ内蔵する電灯を包括して、「電球型ランプ」と呼ぶことにする。つまり、グローブの内部に内蔵される光源が蛍光ランプ、ＬＥＤあるいはその他の光源のいずれであっても、白熱電球に対する互換性を有する電灯は、すべて「電球型ランプ」の範疇に含まれる。
【０００６】
前述したように電球型ランプは点灯回路を内蔵しているが、点灯回路は各種の電子部品を備えているので、高温に弱いという問題がある。そこで、特許文献１に記載の電球形蛍光ランプは、点灯回路装置とカバー（ケースに相当する）の間に熱伝導物質を備えて、点灯回路装置で発生した熱をカバーに伝導して、カバーの表面から外部に放熱するようにしている。また、特許文献２に記載の電球形ＬＥＤランプは放熱翼を多段に設けた放熱体を備えて、定電流電源回路で発生した熱を放熱体の表面から外部に放熱するようにしている。
【先行技術文献】
【特許文献】
【０００７】
【特許文献１】特開２００６−０９３０４４号公報
【特許文献２】特開２００５−１６６５７８号公報
【発明の概要】
【発明が解決しようとする課題】
【０００８】
特許文献１に記載の電球形蛍光ランプは、点灯回路装置で発生した熱をカバーの表面から放熱するので、点灯回路装置の温度上昇の抑制に一定の効果がある。しかしながら、カバーの表面積は限定されるので、カバーの表面から放熱される熱量には限界がある。また、特許文献２に記載の電球形ＬＥＤランプは放熱体に多段の放熱翼を備えることで、表面積を大きくして放熱量を大きくしているが、定電流電源回路を収容するケース部分と放熱体を別体にしているので、外形が大きくなり、白熱電球と同寸同大にまとめるのが難しいという問題がある。
【０００９】
本発明は、このような背景に鑑みてなされたものであり、点灯回路で発生する熱を能率良く外気に放出でき、しかも外形寸法が従来品と殆ど変わらない電球型ランプを提供することを目的とする。
【課題を解決するための手段】
【００１０】
本発明に係る電球型ランプは、電球用口金と、前記電球用口金に取り付けられたケースと、前記ケースに取り付けられたグローブとを有し、前記ケースの内部に点灯回路を、前記グローブの内部に光源をそれぞれ内蔵する電球型ランプにおいて、前記ケースの外表面に凹凸形状が形成されていることを特徴とする。
【発明の効果】
【００１１】
本発明によれば、ケースの外表面に凹凸形状を有するので、ケースの表面積が拡大されて、電球型ランプの放熱性能が向上する。しかも、ケースは電球型ランプが本来備えている必須の構成要素であり、ケースの外形寸法を拡大することもないので、電球型ランプの外形寸法を大きくすることもない。そのため、白熱電球に対する互換性を損ねることがない。
【図面の簡単な説明】
【００１２】
【図１】本発明の実施形態に係る電球型ランプの基本的な構成を示す外形図である。
【図２】本発明の実施形態に係る電球型ランプの具体的な構成を示す外形図である。
【図３】本発明の実施形態に係る電球型ランプの変形例を示す外形図である。
【図４】本発明の実施形態に係る電球型ランプの別の変形例を示す外形図である。
【発明を実施するための形態】
【００１３】
図１に示すように、本発明の実施形態に係る電球型ランプ１は、口金２、ケース３及びグローブ４を有する。なお、図１に示すような構成は、後述する電球型ランプ１の変形例の全てに共通する。
【００１４】
口金２は、図示しない白熱電球用照明器具のソケットと螺合して、該照明器具と電球型ランプ１を電気的に接続する電球用口金である。
【００１５】
ケース３は、口金２とグローブ４の間にあって、両者を連結するとともに、その内部に点灯回路５を収容する筐体である。ケース３の材質は特に限定されないが、電気的な絶縁性と良好な熱伝導性および耐熱性を備えるプラスチック等を選択する。また、図１では、図示を省略しているが、ケース３の外表面（つまり外気に曝される面）は凹凸面が形成されて、ケース３の外表面の面積、言い替えれば外気に対するケース３の伝熱面積を拡大している。なお、ケース３の外表面の凹凸面の具体的形状については、後述する。
【００１６】
グローブ４は、蛍光管６を収容して、蛍光管６を保護する容器である。一般にグローブ４の素材にはガラスが使用されるが、グローブ４の素材はガラスに限定されない。所望の強度、剛性及び光透過性が得られるならば、プラスチック等の素材を選択してもよい。
【００１７】
蛍光管６は、その端部にフィラメント電極を備えるとともに、内部に希ガス及び水銀を封入され、さらにその内面に蛍光物質を塗布されて、前記フィラメント電極間での放電によって生じる紫外線を可視光線に変換して、外部に放出する光源である。なお、点灯回路５は、蛍光管６内で放電を発生させ、放電状態を保持する電子回路であり、インバータ等を備える。
【００１８】
このように、電球型ランプ１は、点灯回路５と蛍光管６を内蔵するので、照明器具側に点灯回路を装置する必要がない。また、照明器具のソケットと電気的に接続される口金２を備えるので、各種の白熱灯用照明器具に自在に取り付けて使用することができる。
【００１９】
次に、電球型ランプ１の具体的な構成、特にケース３の外表面の凹凸面の具体的形状について、図２〜図４を参照しながら説明する。なお、前述した電球型ランプ１の各構成要素、すなわち口金２ないし蛍光管６は、全ての実施形態において共通するので、同一の符号を付して、説明を省略する。また、図が煩雑になるのを避けるために、図２〜図４では点灯回路５の図示を省略しているが、いずれの電球型ランプ１も、点灯回路５はケース３の内部に収容されている。
【００２０】
図２に示すように、電球型ランプ１はケース３の外表面に多数の円柱状突起７を備えて、ケース３の外表面に凹凸面を形成している。円柱状突起７を備えることによって、ケース３の外形寸法をあまり大きくしないで、ケース３の外表面の表面積を大きく拡大することができる。
【００２１】
例えば、直径４０ｍｍ、高さ２５ｍｍの円筒形のケース３の外表面に、直径３ｍｍ、高さ３ｍｍの円柱状突起７を約５ｍｍピッチで１２５個備える場合を想定する。この場合、円柱状突起７を除いたケース３の外表面の面積は約３１４０ｍｍ２である。円柱状突起７を備えることによって、ケース３の外表面の面積は、円柱状突起７の外表面の面積は、１２５個の円柱状突起７の側面積の総和、つまり約３５３３ｍｍ２だけ大きくなる。つまり、この場合、円柱状突起７の外表面の面積は、約２．１倍になる。一方、ケース３の直径は円柱状突起７の高さ分だけ、つまり６ｍｍだけ大きくなるが、ケース３の高さは変わらない。
【００２２】
また、前述したようにケース３の内部には点灯回路５が内蔵され、点灯回路５で発生した熱はケース３に伝えられて、ケース３の外表面から外気に放出される。電球型ランプ１はケース３の外表面に多数の円柱状突起７を備えて、その面積（つまり、外気に対する伝熱面積）を大きく拡大しているので、点灯回路５で発生した熱を能率良く外気に放出することができる。そのため、点灯回路５及びケース３の内部の温度の上昇が効果的に抑制される。
【００２３】
このように、電球型ランプ１は点灯回路５及びケース３の内部の温度の上昇を効果的に抑制することができるので、点灯回路５に加わる熱的ストレスが減少し、その結果、電球型ランプ１の寿命が延長される。
【００２４】
また、ケース３の外表面へ凹凸面を形成する手段は、円柱状突起７の付加には限られない。図３に示すように、ケース３の外表面に、多数の放熱フィン８を付加するようにしても良い。
【００２５】
放熱フィン８は、ケース３の外周を取り囲む環状の平板であって、電球型ランプ１の中心軸（Ｘ軸）方向に並べて配置されている。このような放熱フィン８をケース３の外表面に備えれば、ケース３の寸法をあまり大きくすることなく、ケース３の外表面の面積を大きくすることができる。
【００２６】
また、放熱フィン８の形状や配置は、図３に示したようなものには限定されない。例えば、図４に示すように、放熱フィン８を電球型ランプ１の中心軸（Ｘ軸）に平行な平板として、中心軸（Ｘ軸）回りに放射状に配置してもよい。放熱フィン８の形状や配置をこのようにしても、ケース３の寸法をあまり大きくすることなく、ケース３の外表面の面積を大きくすることができる。
【００２７】
以上、説明したように、電球型ランプ１は、ケース３の外表面に凹凸部を形成するので、凹凸部を備えない場合に比べて、ケース３の外表面の面積が拡大される。そのため、点灯回路５及びケース３の内部の温度の上昇が抑制され、点灯回路５に加わる熱的ストレスが減少する。その結果、電球型ランプ１の寿命が延長される。
【００２８】
しかも、ケース３の外形寸法は殆ど変わらないで、電球型ランプ１の発熱電球に対する互換性に殆ど影響を与えない。つまり、電球型ランプ１を白熱電球と同寸同大にまとめることは容易である。
【００２９】
なお、ケース３の外表面に備える凹凸部は、円柱状突起７や放熱フィン８には限定されない。例えば、円柱状突起７に代えて、三角あるいはその他の多角形断面を有する角柱状の突起、またあるいは、半球状の突起をケース３の外表面に備えて、ケース３の外表面に凹凸部を形成するようにしても良い。また、目的や設計上の制約に応じて、放熱フィン８の形状や配置を変更しても良い。
【００３０】
なお、ここでは電球型ランプ１の光源に蛍光管６を使用した例、つまり電球型蛍光ランプに本発明を適用した例を示したが、本発明の適用対象は電球型蛍光ランプには限定されない。つまり、本発明の光源は蛍光管６に限られないし、本発明の点灯回路は蛍光管６での放電の発生と保持を行う電子回路には限られない。例えば、蛍光管６に代えてＬＥＤを使用してもよいし、点灯回路５はＬＥＤを点灯させる電子回路であってもよい。要するに、本発明は、電球用口金、ケース及びグローブを備えて、グローブ内に光源を収容し、その光源を点灯する点灯回路をケース内に収容した電球型ランプであれば、光源や点灯回路の種類や形式を問わず、広く適用することができる。
【符号の説明】
【００３１】
１電球型ランプ
２口金
３ケース
４グローブ
５点灯回路
６蛍光管
７円柱状突起
８放熱フィン
【図１】
2010198764.tif 000003
【図２】
2010198764.tif 000004
【図３】
2010198764.tif 000005
【図４】
2010198764.tif 000006